(57)【要約】  【課題】        食品に貼付される広告ラベルと可変情報ラベルとの内容が異なることを防止するラベル貼付システムを提供する。  【解決手段】    食品Ｗを識別する識別情報を含む２次元コードＣが印刷された広告ラベルＬａを貼付する第一のラベル貼付装置１００と、広告ラベルＬａの２次元コードＣを読み取る読取手段２００と、識別情報に対応する可変情報を記憶する記憶手段と、読取手段２００で読み取った２次元コードＣを解析する解析手段と、解析された識別情報から可変情報を読み出す読出手段と、読み出された可変情報をラベルに印字する印字手段を有すると共に食品Ｗに可変情報ラベルＬｂを貼付する第二のラベル貼付装置３００とから構成する。【選択図】        図３
2007062815.tif 000002
【特許請求の範囲】
【請求項１】
食品を搬送するコンベアと、
該食品を識別する識別情報を含む２次元コードが印刷された広告ラベルを貼付する第一のラベル貼付装置と、
前記広告ラベルの２次元コードを読み取る読取手段と、
前記識別情報に対応する可変情報を記憶する記憶手段と、
前記読取手段で読み取った２次元コードを解析する解析手段と、
前記解析手段により解析された識別情報から前記記憶手段に記憶された可変情報を読み出す読出手段と、
前記読み出し手段により読み出された可変情報をラベルに印字する印字手段を有すると共に前記食品に可変情報ラベルを貼付する第二のラベル貼付装置と
を有することを特徴とするラベル貼付システム。
【請求項２】
前記識別情報はインターネットで使用可能なＵＲＬであることを特徴とする請求項１記載のラベル貼付システム。
【発明の詳細な説明】
【技術分野】
【０００１】
本発明は、食品に広告ラベルを貼付する第一のラベル貼付装置と、可変情報ラベルを貼付する第二のラベル貼付装置を有するラベル貼付システムに関する。
【背景技術】
【０００２】
近頃、ラッピングされた肉、魚、野菜などの生鮮食品や惣菜、漬物などの加工食品の表面に、新鮮さや特徴をＰＲするための広告ラベルを貼付し、食品の販促を促すことが一般的となっている。また、食品の安全性も重要視されることから、食品に貼付された広告ラベルにＱＲ（Quick Response）コード等の２次元コードを印刷し、このＱＲコードを携帯電話で読み取ることで、ＱＲコードが示すインターネット上のＵＲＬ（Uniform Resource Locator）にアクセスし、インターネットを介して販売・製造元のホームページに掲示された各食品の生産地や生産者、農薬の有無、収穫(加工)期日、料理方法などを携帯電話に表示することで、食品のＰＲと共に安全性を開示することが必要となっている（例えば、特許文献１）。
ここでＵＲＬとは、インターネット上の接続場所を示すアドレスであり、図１に示すようにプロトコル名Ｕ１、ホスト名Ｕ２、ポート番号Ｕ３、ファイルパスアドレスＵ４、ファイル名Ｕ５から成り、ＵＲＬの中で食品毎に異なるファイルパスアドレスＵ４およびファイル名Ｕ５を指定することで、商品毎に生産地や生産者、農薬の有無、収穫(加工)期日、料理方法などを掲示している画像ページに接続され、携帯電話に表示するようになっている。
さらに、上記２次元コードには、生産地や生産者、農薬の有無などの情報が改ざん防止として含まれている場合もある。
【０００３】
また、食品は形態が小型なものが多く、広告ラベルも小さなものが多い。そのため、省スペースで表示可能なＱＲコード等の２次元バーコードが使用されており、その他食品毎に異なる名称や原材料名、原料産地名、賞味期限、添加物の詳細などが記載された可変情報ラベルは、食品のイメージを損なわないように側面や底面に貼付されることが多い。
図２に、食品に貼付されるラベルの形態を示すもので、図中の（ａ）は、広告ラベルの形態を示し、（ｂ）は、可変情報ラベルの形態を示す。広告ラベルＬａには、食品の特徴をＰＲするための文字や図柄が印刷されており、また、ＵＲＬを含むＱＲコードＣが印刷されている。可変情報ラベルＬｂには、名称や原材料名、原料産地名、賞味期限、添加物の詳細など食品により異なる可変情報が記載されている。
【０００４】
上記により、食品をコンベアで搬送し、食品に広告ラベルを貼付する第一のラベル貼付装置と、可変情報ラベルを貼付する第二のラベル貼付装置により、食品に広告ラベルおよび可変情報ラベルを貼付するシステムが要求されている。
【０００５】
上記のラベル貼付システムは、コンベアで搬送する食品に合わせて広告ラベルを第一のラベル貼付装置に装填するが、可変情報を印字し可変情報ラベルを貼付する第二のラベル貼付装置には、罫線や販売者等の固定情報は予め印刷されているものの、その他の名称や原材料名、原料産地名、賞味期限、添加物の詳細など欄は白無地とし、コンベアで搬送される食品に合わせて可変情報をラベルに印字し貼付するので、食品毎にラベルを交換して装填する必要が無い。
そして、上記ラベル貼付システムで食品に広告ラベルおよび可変情報ラベルを貼付する場合は、作業者が第一のラベル貼付装置に食品に合わせて広告ラベルを装填し、第二のラベル貼付装置と通信可能なパーソナルコンピュータのキーボードから印字する可変情報の内容を選択すると共に印字枚数を入力し、第二のラベル貼付装置に印字フォーマットと共に可変情報と印字枚数を送信することで、コンベアで搬送される食品に第一のラベル貼付装置で広告ラベルを貼付し、第二のラベル貼付装置で可変情報ラベルが貼付される。
【０００６】
【特許文献１】特開２０００−２６７９６６号公報
【発明の開示】
【発明が解決しようとする課題】
【０００７】
ところで、上記ラベル貼付システムで、作業者が食品に合わせて第一のラベル貼付装置に広告ラベルを装填後、パーソナルコンピュータの選択画面で間違った可変情報を選択した場合、食品に貼付された広告ラベルと可変情報ラベルの内容が異なって貼付されてしまう。また、可変情報ラベルが食品の側面や底面に貼付されることが多いことから、その間違いに気付かず大量の食品に異なった可変情報ラベルを貼付してしまう問題があった。
上記の問題が発生した場合は、人力による可変情報ラベルの貼り替え作業や、上記ラベル貼付システムの第一のラベル貼付装置を停止させ、可変情報ラベルを貼付する第二のラベル貼付装置のみを稼動するようにシステムを変更するなどが必要となり、作業効率を著しく低下させるものであった。
【０００８】
また、作業者がパーソナルコンピュータで入力した印字枚数より搬送される食品の数が少ない場合は、第二のラベル貼付装置に印字枚数が残った状態となり、この状態で作業者が先程とは異なる食品に合わせ第一のラベル貼付装置に広告ラベルを装填し、コンベアに先程とは異なる食品を投入した場合、第二のラベル貼付装置では先程の残った可変情報ラベルを食品に貼付してしまい、上記と同様に食品に異なった可変情報ラベルを貼付してしまう問題があった。
さらに、作業者がパーソナルコンピュータで入力した印字枚数より搬送される食品の数が多い場合は、食品の搬送途中で第二のラベル貼付装置の印字枚数が無いことを示すエラーが報知されコンベアを停止すると共に、作業者はパーソナルコンピュータのキーボードから印字する可変情報の内容を選択すると共に追加分の印字枚数を入力し、停止したコンベアの稼動を操作するなど、その作業が煩わしい問題があった。
【０００９】
本発明は以上のような諸問題にかんがみなされたもので、食品に貼付される広告ラベルと可変情報ラベルとの内容が異なることを防止するラベル貼付システムを提供することを課題とする。
【課題を解決するための手段】
【００１０】
すなわち本発明のラベル貼付システムは、食品を搬送するコンベアと、該食品を識別する識別情報を含む２次元コードが印刷された広告ラベルを貼付する第一のラベル貼付装置と、前記広告ラベルの２次元コードを読み取る読取手段と、前記識別情報に対応する可変情報を記憶する記憶手段と、前記読取手段で読み取った２次元コードを解析する解析手段と、前記解析手段により解析された識別情報から前記記憶手段に記憶された可変情報を読み出す読み出し手段と、前記読み出し手段により読み出された可変情報をラベルに印字する印字手段を有すると共に前記食品に可変情報ラベルを貼付する第二のラベル貼付装置とを有することを特徴とする。
また、前記識別情報はインターネットで使用可能なＵＲＬであることを特徴とする。
【発明の効果】
【００１１】
以上のように本発明のラベル貼付システムによれば、食品に貼付された広告ラベルの２次元コードを読み取り、読み取った２次元コード内に含まれる識別情報に対応した可変情報を第二のラベル貼付装置でラベルに印字し貼付するので、食品に貼付される広告ラベルと可変情報ラベルとの内容が異なることを防止できる。
また、他の目的に使用されるＵＲＬを各食品の識別情報とすることで、広告ラベルに識別情報を目的とする数字や記号、バーコード等を新たに印字することが無いため、食品のイメージを損なわない広告ラベルとすることができる。
【発明を実施するための最良の形態】
【００１２】
それでは、本発明の第一の実施の形態によるラベル貼付システムを図面を用いて説明する。
図３は、本発明の第一の実施の形態によるラベル貼付システムの構成を説明するための構成図である。
ラベル貼付システム１０は、食品Ｗを搬送するコンベアＤと、広告ラベルＬaを貼付するラベル貼付装置１００と、広告ラベルＬａのＱＲコードＣを読み取るＣＣＤカメラやスキャナなどの読取手段２００と、可変情報を印字し可変情報ラベルＬｂを貼付するラベル貼付装置３００と、コンベアＤにより搬送される食品Ｗを検知する検知センサＫ１、Ｋ２、Ｋ３とから構成される。
【００１３】
図４は、ラベル貼付装置３００の回路構成を説明するための回路構成図である。
ラベル貼付装置３００を司るＣＰＵ３１０は、各種プログラムや識別情報に対応した可変情報を格納するフラッシュメモリ等から成る非揮発性メモリ３１１と、ＣＰＵ３１０の作業領域として使用するＲＡＭ３１２と、ラベル貼付装置３００の動作に関する情報を設定する各種釦と表示パネルから成る操作部３１３と、時計機能を有する時計部３１４と、外部機器と有線または無線にて通信を行う通信部３１５と、可変情報を印字するサーマルヘッド等から成るヘッドを制御する印字制御部３１６と、ラベルの搬送を制御する搬送制御部３１７と、読取手段２００と有線または無線にて通信を行うスキャナインタフェース３１８とをシステムバス３１９を介して制御する。
【００１４】
非揮発性メモリ３１１には、食品Ｗに貼付される広告ラベルＬａにあるＱＲコードＣのＵＲＬに対応した可変情報を格納する可変情報テーブルＴがあり、その構成を図５に示す。
可変情報テーブルＴは、食品Ｗを識別するためにＵＲＬのファイルパスアドレスＵ４およびファイル名Ｕ５を示すＲＵＬ情報Ｔ１と、名称情報Ｔ２、原材料名情報Ｔ３、原料原産地情報Ｔ４、保存方法情報Ｔ５とを有し、非揮発性メモリ３１１には、必要に合わせて可変情報テーブルＴが複数格納されている（記憶手段）。
【００１５】
上記構成により、図３を参照して第一の実施の形態によるラベル貼付システムの動作を説明する。
先ず、作業者は、これからコンベアＤにて搬送する食品Ｗの広告ラベルＬａをラベル貼付装置１００に装填する。その後、コンベアＤに順次食品Ｗを投入する。
広告ラベルＬａが装填されたラベル貼付装置１００は、検知センサＫ１により搬送される食品Ｗを検知すると、広告ラベルＬａを繰出し食品Ｗに貼付する。
その後、検知センサＫ２に食品Ｗを検地すると読取手段２００が食品Ｗに貼付された広告ラベルＬａのＱＲコードＣを読み取り、スキャナインタフェース３１８を介してラベル貼付装置３００に送信する。
【００１６】
ラベル貼付装置３００のＣＰＵ３１０は、スキャナインタフェース３１８を介して受信したＱＲコードＣ内に含まれるＵＲＬを解析する（解析手段）。
ＣＰＵ３１０は、解析されたＵＲＬのファイルパスアドレスＵ４およびファイル名Ｕ５と可変情報テーブルＴのＲＵＬ情報Ｔ１とを比較し、対応する可変情報テーブルＴの印字情報（名称情報Ｔ２、原材料名情報Ｔ３、原料原産地情報Ｔ４、保存方法情報Ｔ５）を読み出す（読出手段）。
読み出された印字情報は、印字制御部３１６により可変情報ラベルＬｂに可変情報を印字する。この時、ＣＰＵ３１０は、印字枚数を１枚として印字する。
上記により、食品Ｗの検知により印字枚数が１枚セットされるので、ラベル貼付装置３００内に印字枚数が残ることがないので、広告ラベルおよび異なった可変情報ラベルを貼付してしまうことが回避される。
尚、賞味期限に関しては、時計部３１４より算出され印字される。
【００１７】
次いで、検知センサＫ３により食品Ｗを検知すると、ラベル貼付装置３００は、可変情報ラベルＬｂを繰出し食品Ｗに貼付する。
【００１８】
尚、上記説明ではＱＲコードＣに含まれるＵＲＬの識別情報としてファイルパスアドレスＵ４およびファイル名Ｕ５を使用したが、これに限定するものではなく、ＵＲＬで指定するＣＧＩ（Common Gateway Interface）プログラム名（ＸＸＸ．ｃｇｉ、ＸＸＸ．ｐｌ）や画像ファイル（ＸＸＸ．ｊｐｇ、ＸＸＸ．ｇｉｆ）、音声ファイル（ＸＸＸ．ｍｐ３、ＸＸＸ．ｗｍａ）、動画ファイル（ＸＸＸ．ｍｐｇ、ＸＸＸ．ｍｏｖ）などのファイル種別、または、ＣＧＩなどのプログラムの呼び出しに使用するパラメータやページ内での位置情報を用いても良く、適宜変更して構わない。
さらに、ＱＲコード内に含まれる他の情報、例えば、改ざん防止として含まれている生産地や生産者、農薬の有無などの情報としても良い。この場合、可変情報テーブルＴのＵＲＬ情報Ｔ１に、上記識別情報を持つことで容易に変更可能である。
【００１９】
上記の説明により、本発明の第一の実施の形態によるラベル貼付システムによれば、食品に貼付された広告ラベルの２次元コードを読み取り、読み取った２次元コード内に含まれる識別情報に対応した可変情報を第二のラベル貼付装置でラベルに印字し貼付するので、食品に貼付される広告ラベルと可変情報ラベルとの内容が異なることを防止できる。
また、他の目的に使用されるＵＲＬを各食品の識別情報とすることで、広告ラベルに識別情報を目的とする数字や記号、バーコード等を新たに印字することが無いため、食品のイメージを損なわない広告ラベルとすることができる。
【００２０】
次に、本発明の第二の実施の形態によるラベル貼付システムを図面を用いて説明する。
図６は、本発明の第二の実施の形態によるラベル貼付システムの構成を説明するための構成図である。第二の実施の形態によるラベル貼付システム２０は、第一の実施の形態によるラベル貼付システム１０と略同様であるが、ＰＣ（パーソナルコンピュータ）４００が追加と成っている。
また、ラベル貼付システム２０では、読取装置２００とＰＣ４００が有線または無線にて通信可能となっており、また、ＰＣ４００は、ラベル貼付装置３００とも有線または無線にて通信可能となっている。
さらに、ＰＣ４００には、上記ラベル貼付装置３００の非揮発性メモリ３１１に格納された可変情報テーブルＴが、図示しないハードディスク等の記憶媒体に記憶されている。
【００２１】
上記構成により、図６を参照して第二の実施の形態によるラベル貼付システムの動作を説明する。
先ず、作業者は、これからコンベアＤにて搬送する食品Ｗの広告ラベルＬａをラベル貼付装置１００に装填する。その後、コンベアＤに順次食品Ｗを投入する。
広告ラベルＬａが装填されたラベル貼付装置１００は、検知センサＫ１により搬送される食品Ｗを検知すると、広告ラベルＬａを繰出し食品Ｗに貼付する。
その後、検知センサＫ２に食品Ｗを検地すると読取手段２００が食品Ｗに貼付された広告ラベルＬａのＱＲコードＣを読み取り、ＰＣ４００に送信する。
【００２２】
ＰＣ４００は、読取手段２００から受信したＱＲコードＣ内に含まれるＵＲＬを解析する（解析手段）。
次いで、ＰＣ４００は、ハードディスク内にある可変情報テーブルから、解析手段で解析されたＵＲＬのファイルパスアドレスＵ４およびファイル名Ｕ５と可変情報テーブルＴのＲＵＬ情報Ｔ１とを比較し、対応する可変情報テーブルＴの印字情報（名称情報Ｔ２、原材料名情報Ｔ３、原料原産地情報Ｔ４、保存方法情報Ｔ５）を読み出す（読出手段）。
ＰＣ４００は、読み出した印字情報を印字データに変換しラベル貼付装置３００へ送信する。この時、ＰＣ４００は、印字枚数を１枚として指定する。また、賞味期限に関しては、ＰＣ４００内の図示しない時計部より算出され印字データに変換される。
ラベル貼付装置３００は、通信部３１５を介して受信した印字データを印字制御部３１６で可変情報ラベルＬｂに印字する。
【００２３】
次いで、検知センサＫ３により食品Ｗを検知すると、ラベル貼付装置３００は、可変情報ラベルＬｂを繰出し食品Ｗに貼付する。
【００２４】
上記の説明により、本発明の第二の実施の形態によるラベル貼付システムによれば、第一の実施の形態によるラベル貼付システムと同様の効果を有すると共に、ＰＣ４００のハードディスクに可変情報テーブルＴを設けたので、より多くの異なる食品に対応可能となる。
【図面の簡単な説明】
【００２５】
【図１】ＵＲＬの基本的な構造を説明するための説明図である。
【図２】食品に貼付されるラベルの形態を示すもので、（ａ）は、広告ラベルの形態を示し、（ｂ）は、可変情報ラベルの形態を示す図である。
【図３】本発明の第一の実施の形態によるラベル貼付システムの構成を説明するための構成図である。
【図４】本発明の第一の実施の形態によるラベル貼付装置の回路構成を説明するための回路構成図である。
【図５】本発明で使用する可変情報を格納する可変情報テーブルの構成図である。
【図６】本発明の第二の実施の形態によるラベル貼付システムの構成を説明するための構成図である。
【符号の説明】
【００２６】
Ｕ１  プロトコル名
Ｕ２  ホスト名
Ｕ３  ポート番号
Ｕ４  ファイルパスアドレス
Ｕ５  ファイル名
Ｌａ  広告ラベル
Ｌｂ  可変情報ラベル
Ｃ    ＱＲコード
Ｗ    食品
Ｄ    コンベア
１０  ラベル貼付システム（第一の実施の形態）
１００  ラベル貼付装置（第一のラベル貼付装置）
２００  読取手段
３００  ラベル貼付装置（第二のラベル貼付装置）
Ｋ１、Ｋ２、Ｋ３  検知センサ
３１０    ＣＰＵ
３１１    非揮発性メモリ
３１２    ＲＡＭ
３１３    操作部
３１４    時計部
３１５    通信部
３１６    印字制御部
３１７    搬送制御部
３１８    スキャナインタフェース
３１９    システムバス
Ｔ      可変情報テーブル
Ｔ１    ＲＵＬ情報
Ｔ２    名称情報
Ｔ３    原材料名情報
Ｔ４    原料原産地情報
Ｔ５    保存方法情報
２０    ラベル貼付システム（第二の実施の形態）
４００    ＰＣ
【図１】
2007062815.tif 000003
【図２】
2007062815.tif 000004
【図３】
2007062815.tif 000005
【図４】
2007062815.tif 000006
【図５】
2007062815.tif 000007
【図６】
2007062815.tif 000008